(57)【要約】【課題】各種情報を多言語化する情報多言語変換システムを提供することを目的とする。【解決手段】識別名称の入力を受け付ける識別名称処理部と、第１言語による紹介文の入力を受け付ける紹介文処理部と、ジャンル及び属性情報の少なくとも一方の入力を受け付けるジャンル属性情報処理部と、紹介文を第２言語に翻訳する自動翻訳処理部と、第１言語と第２言語の対応関係を記憶する外国語対応用語記憶部と、第１言語と第２言語の対応関係を用いて、第２言語に変換する外国語変換処理部と、識別名称と、第２言語に翻訳された紹介文と、第２言語に変換されたジャンル及び属性情報の少なくとも一方と、を表示情報として記憶する表示情報記憶部１２と、各種情報を閲覧可能に構成された情報端末からの表示要求に応じて、表示情報を情報端末に表示させる情報表示部１４とを有する情報多言語変換システム１である。【選択図】図１
2018133102.tif 000002
【特許請求の範囲】
【請求項１】
第１言語による各種情報を識別する識別名称の入力を受け付け、前記識別名称毎に識別記号を付与し、前記識別名称を前記第１言語で発音可能な標記に変換する識別名称処理部と、
前記第１言語による前記各種情報の紹介文の入力を前記識別記号に対応づけて受け付ける紹介文処理部と、
前記第１言語による前記各種情報の属性情報の入力を前記識別記号に対応付けて受け付けるジャンル属性情報処理部と、
前記属性情報及び前記紹介文の少なくとも一方について予め記憶された前記第１言語と前記第２言語の対応関係を用いて、前記属性情報及び前記紹介文の少なくとも一方を前記第２言語に変換する外国語変換処理部と、
前記識別名称処理部が受け付けた識別名称と、前記第１言語で発音可能な表記による識別名称と、前記外国語変換処理部により前記第２言語に変換された前記属性情報及び前記紹介文の少なくとも一方とを、表示情報として記憶部に記憶させる情報処理部と、
前記各種情報を閲覧可能に構成された情報端末からの表示要求に応じて、前記表示情報記憶部によって記憶された前記表示情報を前記情報端末に表示させる情報表示部と、
を有し、
前記情報表示部は、前記第１言語による識別名称と、前記第１言語で発音可能な表記による識別名称と、前記第２言語による属性情報及び紹介文の少なくとも一方と、を表示させ、前記第２言語による識別名称を表示させない、
情報多言語変換システム。
【請求項２】
前記ジャンル属性情報処理部は、前記各種情報のジャンルの入力を前記識別記号に対応付けて受け付けると共に、当該ジャンルに予め対応付けられた前記第１言語による前記属性情報の入力を受け付け、
前記外国語変換処理部は、前記属性情報について予め登録されている前記第１言語と前記第２言語の対応関係を用いて前記属性情報を前記第２言語に変換する、
請求項１に記載の情報多言語変換システム。
【請求項３】
前記第１言語による前記紹介文を前記第２言語に翻訳する自動翻訳処理部を備え、
前記ジャンル属性情報処理部は、前記各種情報のジャンルの入力を前記識別記号に対応付けて受け付け、
前記紹介文処理部は、前記各種情報のジャンルに予め対応付けられた前記第１言語による前記紹介文の入力を受け付け、
前記外国語変換処理部は、前記第１言語による前記紹介文が修正されていない場合に、前記紹介文について予め登録されている前記第１言語と前記第２言語の対応関係を用いて前記紹介文を前記第２言語に変換し、
前記自動翻訳処理部は、前記第１言語による前記紹介文が修正された場合は前記紹介文を翻訳する、
前記情報処理部は、前記自動翻訳処理部によって翻訳された紹介文、又は前記外国語変換処理部によって変換された紹介文を前記表示情報として記憶させる、
請求項１又は２に記載の情報多言語変換システム。
【請求項４】
前記外国語変換処理部は、前記ジャンルについて予め登録されている前記第１言語と前記第２言語の対応関係を用いて前記ジャンルを前記第２言語に変換し、
前記情報処理部は、前記外国語変換処理部によって変換されたジャンルを前記表示情報として記憶させる、
請求項２又は３に記載の情報多言語変換システム。
【請求項５】
前記ジャンル属性情報処理部は、前記各種情報のジャンルの入力を前記識別記号に対応付けて受け付け、
前記外国語変換処理部は、前記ジャンル属性情報処理部により前記ジャンルが入力された後に、前記属性情報を前記第２言語に変換する、
請求項１〜４のいずれかに記載の情報多言語変換システム。
【請求項６】
前記ジャンル属性情報処理部は、前記各種情報のジャンルの入力を前記識別記号に対応付けて受け付け、
前記自動翻訳処理部は、前記ジャンル属性情報処理部により前記ジャンルが入力された後に、前記紹介文を前記第２言語に翻訳する、
請求項１〜４のいずれかに記載の情報多言語変換システム。
【請求項７】
第１言語による各種情報を識別する識別名称の入力を受け付け、前記識別名称毎に識別記号を付与し、前記識別名称を前記第１言語で発音可能な標記に変換する識別名称処理ステップと、
前記第１言語による前記各種情報の紹介文の入力を前記識別記号に対応づけて受け付ける紹介文処理ステップと、
前記第１言語による前記各種情報の属性情報の入力を前記識別記号に対応付けて受け付けるジャンル属性情報処理ステップと、
前記属性情報及び前記紹介文の少なくとも一方について予め記憶された前記第１言語と前記第２言語の対応関係を用いて、前記属性情報及び前記紹介文の少なくとも一方を前記第２言語に変換する外国語変換ステップと、
前記識別名称処理ステップで受け付けた識別名称と、前記第１言語で発音可能な表記による識別名称と、前記外国語変換ステップにより前記第２言語に変換された前記属性情報及び前記紹介文の少なくとも一方とを、表示情報として記憶部に記憶させる情報処理ステップと、
前記各種情報を閲覧可能に構成された情報端末からの表示要求に応じて、前記表示情報記憶部によって記憶された前記表示情報を前記情報端末に表示させる情報表示ステップと、
を含み、
前記情報表示ステップでは、前記第１言語による識別名称と、前記第１言語で発音可能な表記による識別名称と、前記第２言語による属性情報及び紹介文の少なくとも一方と、を表示させ、前記第２言語による識別名称を表示させない、
情報多言語変換方法。
【請求項８】
第１言語による各種情報を識別する識別名称の入力を受け付け、前記識別名称毎に識別記号を付与し、前記識別名称を前記第１言語で発音可能な標記に変換する識別名称処理ステップと、
前記第１言語による前記各種情報の紹介文の入力を前記識別記号に対応づけて受け付ける紹介文処理ステップと、
前記第１言語による前記各種情報の属性情報の入力を前記識別記号に対応付けて受け付けるジャンル属性情報処理ステップと、
前記属性情報及び前記紹介文の少なくとも一方について予め記憶された前記第１言語と前記第２言語の対応関係を用いて、前記属性情報及び前記紹介文の少なくとも一方を前記第２言語に変換する外国語変換ステップと、
前記識別名称処理ステップで受け付けた識別名称と、前記第１言語で発音可能な表記による識別名称と、前記外国語変換ステップにより前記第２言語に変換された前記属性情報及び前記紹介文の少なくとも一方とを、表示情報として記憶部に記憶させる情報処理ステップと、
前記各種情報を閲覧可能に構成された情報端末からの表示要求に応じて、前記表示情報記憶部によって記憶された前記表示情報を前記情報端末に表示させる情報表示ステップと、
をコンピュータに実行させるためのプログラムであって、
前記情報表示ステップでは、前記第１言語による識別名称と、前記第１言語で発音可能な表記による識別名称と、前記第２言語による属性情報及び紹介文の少なくとも一方と、を表示させ、前記第２言語による識別名称を表示させない、
プログラム。
【発明の詳細な説明】
【技術分野】
【０００１】
本発明は、各種情報を多言語化する情報多言語変換システムに関する。
【背景技術】
【０００２】
近年、外国人が仕事や観光目的のために我が国に訪れる機会が増加している。その際、日本語に精通している外国人であれば、日本各地にある寺院、博物館と言った観光地、又はショッピングモール、大型家電量販店等の商業施設に訪れた際に、日本語で作成されたＷｅｂページ、ガイドブック、案内板で観光地の見所ポイント、施設内の店舗情報、商品の情報等を確認し、観光を楽しむことができ、所望する商品を迷うことなく購入することができる。一方、日本語に精通していない、あるいは少ししか精通していない外国人であれば、Ｗｅｂページ、ガイドブック、案内板に記載された内容を理解することができず、観光地の見所を見逃してしまうことや、所望する商品を購入するために無駄な時間を過ごすことになる。
【０００３】
観光地を訪れた外国人に対する外国語の案内ガイドとしては、旅行者から送信された情報に基づいて、オペレータが旅行者毎に観光案内サービスを提供する構成が特許文献１に開示されている。
【先行技術文献】
【特許文献】
【０００４】
【特許文献１】特開２００５−５９３８号公報
【発明の概要】
【発明が解決しようとする課題】
【０００５】
しかしながら、外国語に精通するだけではなく、観光地等にも精通しているオペレータを確保することは非常に困難である。また、ツアー旅行であれば、一度に複数の旅行者から案内依頼が殺到し、旅行者毎に対応していたのでは捌ききれなくなることは明らかである。
【０００６】
また、ガイドブックを複数の言語に対応させた場合、対応させた言語の数に比例してガイドブックの頁数が増加することで、手に持って観光する際には不便になるだけでなく、鞄等に入れる際も邪魔になりやすくなる。他方、ガイドブックの頁数の増加を抑えた場合には、記載内容が少なくなって、欲しい情報が記載されていないことにもなる。さらに、案内板を複数の言語に対応させた場合には、対応させた言語の数に応じて案内板のサイズも大きくなり、観光地の美観を損ねることにもなる。
【０００７】
さらに、複数の言語に対応したＷｅｂページ、ガイドブック、案内板等を作成するにしても、外国語に精通した人材による翻訳が必要であるが、全ての観光地や商業施設がそれを行えるわけではない。
【０００８】
本発明は、上記課題に鑑みて提案するものであって、外国語に精通した人材がいない場合であっても、多言語に対応した各種情報を生成させることが可能な情報多言語変換システムを提供することである。
【課題を解決するための手段】
【０００９】
本発明の情報多言語変換システムは、複数言語による各種情報を生成する情報多言語変換システムであって、第１言語による各種情報を識別する識別名称の入力を受け付け、前記識別名称毎に識別記号を付与する識別名称処理部と、前記第１言語による前記各種情報の紹介文の入力を前記識別記号に対応づけて受け付ける紹介文処理部と、前記各種情報のジャンル及び属性情報の少なくとも一方の入力を前記識別記号に対応づけて受け付けるジャンル属性情報処理部と、前記紹介文処理部が受け付けた前記紹介文を、第２言語に翻訳する自動翻訳処理部と、前記ジャンル及び属性情報の少なくとも一方について、前記第１言語と前記第２言語の対応関係を記憶する外国語対応用語記憶部と、前記外国語対応用語記憶部に記憶する前記第１言語と前記第２言語の対応関係を用いて、前記ジャンル及び属性情報の少なくとも一方を前記第２言語に変換する外国語変換処理部と、前記識別名称処理部が受け付けた識別名称と、前記自動翻訳処理部により前記第２言語に翻訳された紹介文と、前記外国語変換処理部により前記第２言語に変換されたジャンル及ぶ属性情報の少なくとも一方とを、表示情報として記憶する表示情報記憶部と、前記各種情報を閲覧可能に構成された情報端末からの表示要求に応じて、前記表示情報記憶部に記憶した前記表示情報を前記情報端末に表示させる情報表示部と、を有することを特徴とする。
この構成により、外国語に精通した人材がいない場合であっても、簡便な方法により、日本語に精通していない外国人に対して、各種情報を容易に理解させることができる。尚、各種情報とは、例えば観光地、商業施設、又は商品に関連する情報をいう。ここで、情報端末とは、管理施設（具体的には、観光地や、商業施設（個人商店を含む）を管理する施設をいう）で利用するコンピュータである管理端末や、利用者が利用するコンピュータをいう。
【００１０】
また、本発明の情報多言語変換システムは、前記識別名称処理部は、前記識別名称として、前記各種情報を表す正式名称、及び前記正式名称を簡易化した名称の少なくとも一方の入力を受け付けることを特徴とする。
この構成により、識別名称として、各種情報、例えば観光地、商業施設、又は商品に関連する情報を表す正式名称を入力しても、外国人が日本語によって発音することでそれぞれの施設や商品の管理者が理解可能な範囲で簡易化された名称を入力してもよい。
【００１１】
また、本発明の情報多言語変換システムは、前記識別名称処理部は、前記入力を受け付けた識別名称を、外国人が前記第１言語による発音が可能な表記へ自動変換し、前記表示情報記憶部は、前記識別名称処理部によって自動変換された識別名称をさらに表示情報として記憶することを特徴とする。
この構成により、観光地名、商業施設名、又は商品名をローマ字表記等の、第１言語による発音が可能な表記に自動変換され、表示されるため、外国人であってもそのまま第１言語での発音することが可能となり、観光地や商業施設のガイドや、店舗の従業員に対し、観光地名、商業施設名、又は商品名を正確に伝えることができる。
【００１２】
また、本発明の情報多言語変換システムは、前記情報表示部は、前記表示情報記憶部に記憶された前記第１言語による正式名称、又は前記第１言語による簡易化した名称と、前記外国人が前記第１言語による発音が可能な表記へ自動変換された正式名称、又は前記外国人が前記第１言語による発音が可能な表記へ自動変換された簡易化した名称の少なくとも一方とを抽出し、前記情報端末に表示させる、ことを特徴とする。
この構成により、識別名称が例えば、識別名称の日本語による正式名称と、当該正式名称を簡易化した名称のローマ字表記とが表示されるため、日本人にとっては各種情報を見ることによって正確に内容を理解できるだけでなく、外国人にとっては発音し易いため、観光地や商業施設のガイドや、店舗の従業員に対し、観光地名、商業施設名、又は商品名を容易に伝えることができる。
【００１３】
また、本発明の情報多言語変換システムは、前記ジャンルと前記ジャンルに関連する紹介文のテンプレート情報とを対応づけて記憶する紹介文記憶部を有し、前記紹介文処理部は、前記ジャンル属性情報処理部が受け付けたジャンルに対応する紹介文を、前記紹介文記憶部から抽出する、ことを特徴とする。
この構成により、ジャンルに関連する紹介文のテンプレートを元にして紹介文を作成することができるため、紹介文の入力作業の負担を軽減することができる。
【００１４】
また、本発明の情報多言語変換システムは、前記紹介文処理部は、前記紹介文に対する第１言語による修正入力を受け付けると、前記自動翻訳処理部は、前記紹介文処理部が第１言語による修正入力を受け付けた紹介文を第２言語に自動翻訳処理を実行することを特徴とする。
ここで、紹介文は、観光地や商業施設毎に、独自色を出したい箇所であり、定型性が低い情報である。この構成により、必要に応じて第１言語による自由な入力を受け付け、自動翻訳処理を実行することにより、定型性の低い情報を外国人に提供することができる。
【００１５】
また、本発明の情報多言語変換システムは、前記ジャンル属性情報処理部は、前記ジャンル及び属性情報の少なくとも一方に対する第１言語による修正入力を受け付けると、前記外国語変換処理部が第１言語による修正入力を受け付けたジャンル属性情報の少なくとも一方を第２言語に自動変換処理を実行することを特徴とする。
ここで、例えば寺院、美術館、スーパー、カメラといったジャンルや、属性情報、例えばトイレ、喫煙所、及び授乳室の有無、使用可能言語、カード可否、免税の可否といった施設内情報は、定型性が高い情報である。この構成により、管理施設や店舗での入力作業の負担を軽減することが可能となる。
【００１６】
また、本発明の情報多言語変換システムは、前記情報端末から前記第２言語による第１検索条件を受け付け、前記第１検索条件に対応する前記第１言語による単語を特定し第２検索条件として、前記第１検索条件と前記第２検索条件に該当する前記表示情報記憶部に記憶した表示情報を検索し、該当する表示情報を前記情報端末に提供する検索処理部、を有することを特徴とする。
この構成により、日本語に精通していない外国人であっても、各種情報提供サイトを利用する場合に、当該外国人が理解できる言語を検索条件として、当該検索条件に該当する各種情報を検索することができる。
【００１７】
また、本発明の情報多言語変換システムは、前記検索処理部は、ジャンル及び属性情報の少なくとも一方をジャンル及び属性情報検索条件として受け付け、前記ジャンル及び属性情報検索条件に該当する前記表示情報記憶部に記憶した表示情報を検索し、該当する表示情報を前記情報端末に提供することを特徴とする。
この構成により、日本語に精通していない外国人が各種情報提供サイトを利用する場合に、ジャンルや属性情報を検索条件として、当該検索条件に該当する各種情報を検索することができる。
【００１８】
また、本発明の情報多言語変換システムは、前記ジャンル属性情報処理部は、位置情報の入力を受け付け、前記情報表示部は、前記位置情報を表示させることを特徴とする。
この構成により、位置情報が表示されるため、観光地であれば、道に迷うことなく観光することができ、また商業施設であれば、所望の店舗に行くことができる。さらに、購入したい商品が陳列されている場所に行き、実際の商品を確認することができる。
【発明の効果】
【００１９】
本発明の情報多言語変換システムは、外国語に精通した人材がいない場合であっても、簡便な方法により、日本語に精通していない外国人に対して、例えば観光地、商業施設、又は商品の各種情報を容易に理解させることができ、当該外国人は、迷うことなく目的の場所に行くことができ、また所望する商品を購入することができる。
【図面の簡単な説明】
【００２０】
【図１】本発明に係る実施形態の情報多言語変換システムのシステム構成の一例を模式的に示す概念図である。
【図２】本発明に係る実施形態の情報処理部の構成の一例を模式的に示す概念図である。
【図３】本発明に係る実施形態の情報記憶部の構成の一例を模式的に示す概念図である。
【図４】本発明に係る実施形態の情報多言語変換システムを機能させるコンピュータのハードウェア構成の一例を模式的に示す概念図である。
【図５】本発明に係る実施形態の情報多言語変換システムの処理プロセスの一例を模式的に示すフローチャートである。
【図６】本発明に係る実施形態の管理画面の一例を模式的に示す図である。
【図７】図６に示す管理画面に観光地名の入力をした状態の一例を模式的に示す図である。
【図８】図７に示す管理画面に画像の入力をした状態の一例を模式的に示す図である。
【図９】図８に示す管理画面にジャンルの入力をした状態の一例を模式的に示す図である。
【図１０】図９に示す管理画面に属性情報が反映した状態の一例を模式的に示す図である。
【図１１】本発明に係る実施形態の管理画面の別の一例を模式的に示す図である。
【図１２】本発明を用いて商業施設の店舗リストを表示させた場合の画面の一例を模式的に示す図である。
【図１３】本発明を用いて商品リストを表示させた場合の画面の一例を模式的に示す図である。
【図１４】本発明に係る別の実施形態の情報多言語変換システムのシステム構成の一例を模式的に示す概念図である。
【発明を実施するための形態】
【００２１】
本発明による実施形態の情報多言語変換システムについて図面を参照して説明する。図１は本発明に係る実施形態の情報多言語変換システムのシステム構成の一例を模式的に示す概念図、図２は本発明に係る実施形態の情報処理部の構成の一例を模式的に示す概念図、図３は本発明に係る実施形態の情報記憶部の構成の一例を模式的に示す概念図である。
【００２２】
本実施形態の情報多言語変換システム１は、サーバ等を含むコンピュータを用いて実現される。図４に示す通り、コンピュータは、プログラムの演算処理を実行するＣＰＵ等の演算装置７０と、情報を記憶するＲＡＭやハードディスク等の記憶装置７１と、表示を行うディスプレイ等の表示装置７２と、入力を行うマウスや、キーボード、タッチパネル等の入力装置７３と、演算装置７０の処理結果や記憶装置７１に記憶する情報を、コンピュータ間で送受信する通信装置７４とを有している。
【００２３】
本発明における各手段は、その機能が論理的に区別されているのみであって、物理上あるいは事実上は同一の領域を為していても良い。また、本発明の情報多言語変換システム１は、これらが一つのサーバでその機能を実現していても良いし、各機能を２台以上のサーバに分散しても良い。また、本発明の機能の一部または全部を、観光地、商業施設、商品の検索を行うユーザの利用するコンピュータ（携帯電話等の可搬型通信端末を含む）で行っても良い。特に、後述する自動翻訳処理部１１５、外国語変換処理部１１６、情報表示部１４等の処理をユーザのコンピュータで行っても良い。これによって管理サーバ１０の処理の負荷を減らすことが出来る。
【００２４】
情報多言語変換システム１の各機能を備える管理サーバ１０は、管理施設（具体的には、観光地や、商業施設（個人商店を含む）を管理する施設をいう）で利用するコンピュータである管理端末２と、インターネット等のネットワークを介して情報の送受信が可能である。管理端末２としてはコンピュータであればよく、パーソナルコンピュータのほか、スマートフォンを含む携帯電話、ＰＨＳ、タブレット型コンピュータ等の可搬型通信端末等を含む。
【００２５】
本実施形態の情報多言語変換システム１における管理サーバ１０は、情報処理部１１と、表示情報記憶部１２と、マスター記憶部１３と、情報表示部１４とを有する。尚、本実施形態の情報多言語変換システム１を利用したサービスを展開する国における言語である第１言語として日本語の場合について説明するが、他の国で実施する場合には、その国で用いられている言語を第１言語として用いることができる。また第２言語とは第１言語である言語以外の一又は複数の言語（その国にとっての外国語）を意味する。
【００２６】
情報処理部１１は、識別名称処理部１１０と、画像情報処理部１１１と、ジャンル処理部１１２と、紹介文処理部１１３と、属性情報処理部１１４と、自動翻訳処理部１１５と、外国語変換処理部１１６とを有する。
【００２７】
情報処理部１１は、管理端末２から送信された管理施設で管理する観光地、商業施設、店舗等で取り扱っている商品やサービスに関する入力情報を受け付ける。また、情報処理部１１は、受け付けた入力情報に対し、各処理部で各種処理が実行された各情報を表示情報として、後述する表示情報記憶部１２に記憶させる。
【００２８】
ここで、観光地に関する入力情報としては、観光地名（寺院、博物館、タワー、テーマパーク、山や湖と言った自然景観等を含む）、観光地の見所ポイント等が写った画像、ジャンル（寺院、博物館、タワー等）、紹介文（見所等）、施設情報（トイレ、喫煙所、授乳室の有無等）、位置情報（フロアマップ）がある。
【００２９】
また、商業施設に関する入力情報としては、商業施設名（個人商店、スーパー、ショッピングモールのような複合商業施設を含む。）、施設や店舗の外観等が写った画像、ジャンル（ファッション、インテリア、サービス、グルメ、フード等）、紹介文（セール情報等）、施設情報（トイレ、喫煙所、授乳室の有無、カード可否、免税の可否、使用可能言語等）、位置情報（フロアマップ）がある。
【００３０】
さらに、商品に関する入力情報としては、商品名、商品の画像、ジャンル（家電量販店であれば、パソコン、音楽プレイヤー、生活家電等）、紹介文（商品のアピールポイント等）、商品情報（製造会社、ブランド、型番等の商品識別番号、販売価格）、位置情報（陳列情報）がある。
【００３１】
上述した各入力情報は、あくまで一例に過ぎず、適宜変更可能である。例えば、観光地に関する入力情報として、価格情報（入場料等）、営業時間情報、所在地情報（住所又は居所）、アクセス情報（最寄り駅等の公共交通機関に関する情報、駐車場やシャトルバスの有無等）、連絡情報（電話番号、ＦＡＸ番号、Ｅ−ｍａｉｌアドレス）を加えてもよい。また、商業施設に関する入力情報として、価格情報（取扱商品の価格帯）、営業時間情報、所在地情報（住所又は居所）、アクセス情報（最寄り駅等の公共交通機関に関する情報、駐車場の有無）、連絡情報（電話番号、ＦＡＸ番号、Ｅ−ｍａｉｌアドレス）を加えてもよい。さらに、商品に関する入力情報として、在庫情報、備考情報（使用電圧、英訳取扱説明書の有無）、販売店舗情報を加えてもよい。
【００３２】
識別名称処理部１１０は、各種情報を識別する識別名称、例えば観光地名、商業施設名、又は商品名を受け付け、受け付けた識別名称毎に識別記号を付与する。ここで、観光地名、商業施設名、又は商品名は、漢字、平仮名、又は片仮名だけではなく、英文字、数字、記号や、これらを組み合わせた造語で表記されていることから、観光地名、商業施設名、又は商品名の片仮名表記での入力を受け付けるとよい。尚、識別記号は、複数の英文字、数字等からなる識別ＩＤや識別番号をいい、各種情報を識別名称毎に識別するために付与される。
【００３３】
また、識別名称処理部１１０は、受け付けた観光地名、商業施設名、又は商品名を、外国人でも日本語による発音が可能なローマ字表記への変換処理を行う。具体的には、観光地名、商業施設名、又は商品名の片仮名表記での入力を受け付けた場合は、片仮名表記に基づいて外国人でも日本語による発音が可能なローマ字表記への変換処理を行うとよい。ここで、片仮名表記での入力とは、観光地名、商業施設名、又は商品名を正式名称で入力する必要はなく、外国人が日本語によって発音することでそれぞれの施設の管理者が理解できる範囲で簡易化した名称であってもよい。例えば、観光地名の正式名称として「トウキョウコクサイクウコウ」を入力しても、簡易化した名称である「ハネダクウコウ」を入力しても良い。尚、識別名称処理部１１０は、観光地名、商業施設名、又は商品名の片仮名表記での入力ではなく、観光地名、商業施設名、又は商品名のローマ字表記での入力を受け付けても良い。さらに、ローマ字表記ではなく、日本語での発音が可能な表記であればいかなる表記であっても良い。
【００３４】
また、識別名称処理部１１０は、識別名称を予め定められた表示形態へ変換し、後述する情報表示部１４により各種情報を閲覧可能に構成された情報端末に表示させてもよい。具体的には、日本語表記の「東京国際空港」に対し、正式名称のローマ字表記「ＴＯＫＹＯＫＯＫＵＳＡＩＫＵＫＯ」、及び簡易化した名称のローマ字表記「ＨＡＮＥＤＡＫＵＫＯ」がある場合、識別名称処理部１１０は、予め定められた日本語表記の「東京国際空港」及び簡易化した名称のローマ字表記「ＨＡＮＥＤＡＫＵＫＯ」からなる表示形態へ変換し、後述する情報表示部１４によって情報端末に表示させることができる。尚、識別名称処理部１１０は、日本語表記の「東京国際空港」及び正式名称のローマ字表記「ＴＯＫＹＯＫＯＫＵＳＡＩＫＵＫＯ」からなる表示形態へ変換するよう予め定めることも可能である。
【００３５】
さらに、識別名称処理部１１０は、識別名称に対する表示選択の入力を受け付けてもよい。具体的には、日本語表記の「東京国際空港」に対し、正式名称のローマ字表記「ＴＯＫＹＯＫＯＫＵＳＡＩＫＵＫＯ」、及び簡易化した名称のローマ字表記「ＨＡＮＥＤＡＫＵＫＯ」がある場合、識別名称処理部１１０は、日本語表記の「東京国際空港」及び正式名称のローマ字表記「ＴＯＫＹＯＫＯＫＵＳＡＩＫＵＫＯ」からなる表示形態、又は日本語表記の「東京国際空港」及び簡易化した名称のローマ字表記「ＨＡＮＥＤＡＫＵＫＯ」からなる表示形態のいずれか一方の表示形態を表示させる任意の選択の入力を受け付ける。そして、選択入力を受け付けられた表示選択に応じた表示形態は、後述する情報表示部１４によって、情報端末に表示される。
【００３６】
画像情報処理部１１１は、その観光地、商業施設、商品の画像情報の入力を受け付ける。尚、画像のファイル形式は、特に制限されるものではなく、また静止画だけでなく、動画でもよい。
【００３７】
ジャンル処理部１１２は、その観光地、商業施設、商品の属するジャンルの選択入力を受け付ける。また、ジャンル処理部１１２は、入力を受け付けたジャンルを識別名称毎に付与された識別記号に対応づける。ここで、選択されるジャンルは、後述するマスター記憶部１３のジャンル記憶部１３１に記憶されており、ジャンル処理部１１２は、ジャンル記憶部１３１を参照し、選択肢の表示を行われることにより、選択入力を受け付ける。
【００３８】
紹介文処理部１１３は、ジャンル処理部１１２で選択を受け付けたジャンルの情報に基づいて、後述するマスター記憶部１３の紹介文記憶部１３２から対応する観光地、商業施設、又は商品に関する紹介文のテンプレート情報を抽出し、表示させる。また、紹介文処理部１１３は、入力を受け付けた紹介文を識別名称毎に付与された識別記号に対応づける。
【００３９】
さらに、観光地、商業施設、又は商品に関する紹介文の変更の選択を受け付けた場合、紹介文処理部１１３は、観光地、商業施設、又は商品に関する紹介文の入力を日本語で受け付ける。観光地、商業施設、又は商品に関する紹介文としては、観光地の見所、商業施設の各店舗のセール情報、又は商品のアピールポイント等がある。尚、紹介文処理部１１３は、テンプレート情報を用いずに、最初から、紹介文の入力を受け付けても良い。
【００４０】
属性情報処理部１１４は、ジャンル処理部１１２で選択を受け付けたジャンルの情報が観光地、又は商業施設の場合、そのジャンルの情報に基づいて、後述するマスター記憶部１３の属性情報記憶部１３３から対応する属性情報、例えば施設内情報（トイレ、喫煙所、及び授乳室の有無、使用可能言語、カード可否、免税の可否）や、位置情報（フロアマップ）のテンプレート情報を抽出し、表示させる。また、属性情報処理部１１４は、入力を受け付けた属性情報を識別名称毎に付与された識別記号に対応づける。
【００４１】
さらに、属性情報処理部１１４は、施設内情報、位置情報の変更の選択を受け付けた場合、属性情報処理部１１４は、属性情報記憶部１３３を参照することで、施設内情報、位置情報について選択入力を受け付ける。選択される施設内情報や、位置情報と言った属性情報は後述するマスター記憶部１３の属性情報記憶部１３３に記憶されており、属性情報処理部１１４が属性情報記憶部１３３を参照し、選択肢の表示を行わせることで、選択入力を受け付ける。なお、ジャンルの情報が観光地、又は商業施設の場合における属性情報としては、施設内情報、位置情報に限定されず、適宜、設定可能である。
【００４２】
さらに、属性情報処理部１１４は、ジャンル処理部１１２で選択を受け付けたジャンルの情報が商品の場合、そのジャンルの情報に基づいて、後述するマスター記憶部１３の属性情報記憶部１３３から対応する、商品情報（製造会社、ブランド、型番等の商品識別番号、販売価格）のテンプレート情報を抽出し、表示させてもよい。また、属性情報処理部１１４は、商品情報の変更の選択を受け付けた場合にも、属性情報処理部１１４は、属性情報記憶部１３３を参照することで、商品情報について選択入力を受け付ける。選択される商品情報と言った属性情報は後述するマスター記憶部１３の属性情報記憶部１３３に記憶されており、属性情報処理部１１４が属性情報記憶部１３３を参照し、選択肢の表示を行わせることで、選択入力を受け付ける。尚、ジャンルの情報が商品の場合における属性情報としては、商品情報に限定されず、適宜、設定可能である。
【００４３】
また、属性情報処理部１１４は、テンプレート情報を用いずに、最初から、属性情報記憶部１３３を参照し、選択肢の表示を行わせることで選択の入力を受け付けても良い。
【００４４】
さらに、属性情報処理部１１４は、位置情報として、観光地の場合には見所に目印が付けられたマップ、商業施設の場合には店舗に目印が付けられたフロアマップ、又は商品の場合には商品の陳列箇所が確認できるマップの入力を受け付けても良い。
【００４５】
尚、上述したジャンル処理部１１２と、属性情報処理部１１４とは、説明の便宜上、各処理部に分けて説明したが、ジャンル及び属性情報の入力を受け付けるジャンル属性情報処理部としてもよい。
【００４６】
自動翻訳処理部１１５は、紹介文処理部１１３で観光地、商業施設、又は商品を紹介する文章が変更され、その入力を受け付けた場合、公知の翻訳処理機能を用いて外国語に翻訳する。翻訳処理機能としては、さまざまなものを用いることができ、ウェブサイトで文章の翻訳を行う機能を用いることもできる。
【００４７】
外国語変換処理部１１６は、後述するマスター記憶部１３の外国語対応用語記憶部１３４に記憶する第１言語である日本語と、第２言語である少なくとも１以上の外国語の対応関係を示す対応テーブルに基づいて、情報処理部１１で受け付けた各入力情報を、対応する外国語に自動変換する。具体的には、外国語変換処理部１１６は、上記対応テーブルに基づいて、日本語のジャンルや、属性情報を、対応する外国語に自動変換する。尚、外国語変換処理部１１６は、ジャンル、及び属性情報の両方、若しくはそのいずれか一方のみを、対応する外国語に自動変換する構成であってもよい。
【００４８】
尚、情報処理部１１は、観光地の入力情報として、入場料等の価格情報、営業時間情報、所在地情報、最寄り駅等の公共交通機関に関する情報、駐車場やシャトルバスの有無情報と言ったアクセス情報、電話番号、ＦＡＸ番号、Ｅ−ｍａｉｌアドレス等の連絡情報の入力を受け付けてもよい。また、情報処理部１１は、商業施設の入力情報として、価格情報（取扱商品の価格帯）、営業時間情報、所在地情報、最寄り駅等の公共交通機関に関する情報、駐車場の有無情報と言ったアクセス情報、電話番号、ＦＡＸ番号、Ｅ−ｍａｉｌアドレスの連絡情報の入力を受け付けてもよい。さらに、商品に関する入力情報として、使用電圧、英訳取扱説明書の有無情報と言った備考情報を加えてもよい。
【００４９】
表示情報記憶部１２は、情報処理部１１が受け付け、各処理部で処理を実行した各情報を、表示情報として、観光地、商業施設、又は商品毎に記憶する。例えば、表示情報記憶部１２は、表示情報として、識別名称処理部１１０が入力を受け付けた観光地名の日本語表記、及び識別名称処理部１１０が自動変換を実行した観光地名のローマ字表記と、自動翻訳処理部１１５が自動翻訳処理を実行した外国語による紹介文、外国語変換処理部１１６が外国語に変換されたジャンル及び属性情報等を記憶する。
【００５０】
マスター記憶部１３は、情報処理部１１において外国語による各種情報を生成するにあたり必要な情報を、マスターテーブルにそれぞれ記憶する。マスター記憶部１３は、ジャンル記憶部１３１、紹介文記憶部１３２、属性情報記憶部１３３、外国語対応用語記憶部１３４を有する。
【００５１】
ジャンル記憶部１３１は、ジャンル処理部１１２で、観光地、商業施設、又は商品のジャンルの選択入力を受け付けるための選択肢となるジャンルの情報を記憶している。ジャンルは、階層構造で記憶されており、例えば大分類、大分類を細分化した中分類、中分類をさらに細分化した小分類と言ったように記憶されている。観光地のジャンルについて説明すると、大分類としては、例えば施設、自然景観等がある。また、中分類としては、例えば大分類が施設の場合、寺院、博物館、タワー、美術館、劇場、水族館等がある。このように、ジャンル記憶部１３１に記憶するジャンルに基づいて、ジャンル処理部１１２でジャンルの選択肢の表示を行うことにより、その選択入力を受け付けることができる。
【００５２】
紹介文記憶部１３２は、ジャンル処理部１１２で選択されたジャンルに関連する紹介文のテンプレート情報を記憶する。即ち、ジャンルとそれに関連する紹介文のテンプレートとが関連付けて記憶される。例えば、ジャンル「タワー」には、紹介文のテンプレートとして「展望台から見える景色がきれい。」が関連付けられて記憶される。具体的には、ジャンル「タワー」が選択された場合には、紹介文処理部１１３は、紹介文記憶部１３２に記憶する「タワー」に関連する紹介文のテンプレート情報を抽出し、表示させる。
【００５３】
属性情報記憶部１３３は、属性情報処理部１１４で施設内情報（トイレ、喫煙所、及び授乳室の有無、使用可能言語等、カード可否、免税の可否）の選択入力を受け付けるための選択肢となる施設内情報を記憶する。施設内情報は、ジャンルの情報と対応付けて記憶されていても良く、ジャンル処理部１１２で選択されたジャンルに関連付けられた施設内情報を属性情報処理部１１４が属性情報記憶部１３３に基づいて抽出し、テンプレートの施設内情報として表示させてもよい。
【００５４】
また、属性情報記憶部１３３は、属性情報処理部１１４で位置情報（フロアマップ）の選択入力を受け付けるための選択肢となる位置情報を記憶する。位置情報は、ジャンルの情報と対応付けて記憶されていても良く、ジャンル処理部１１２で選択されたジャンルに関連付けられた位置情報を属性情報処理部１１４が属性情報記憶部１３３に基づいて抽出し、テンプレートの位置情報として表示させてもよい。さらに、属性情報記憶部１３３は、位置情報として、属性情報処理部１１４が受け付けた、観光地の場合には見所に目印が付けられたマップ、商業施設の場合には店舗に目印が付けられたフロアマップ、又は商品の場合には商品の陳列箇所が確認できるマップを記憶してもよい。
【００５５】
また、属性情報記憶部１３３は、属性情報処理部１１４で商品情報（製造会社、ブランド、型番等の商品識別番号、販売価格）の選択入力を受け付けるための選択肢となる商品情報を記憶する。商品情報は、ジャンルの情報と対応付けて記憶されていても良く、ジャンル処理部１１２で選択されたジャンルに関連付けられた商品情報を属性情報処理部１１４が属性情報記憶部１３３に基づいて抽出し、テンプレートの商品情報として表示させてもよい。
【００５６】
外国語対応用語記憶部１３４は、ジャンル処理部１１２で入力を受け付けた観光地、商業施設、商品の属するジャンル、紹介文処理部１１３で受け付ける紹介文のテンプレート情報、属性情報処理部１１４で受け付ける施設内情報、位置情報、又は商品情報のテンプレート情報等について、日本語（第１言語）と少なくとも一以上の外国語（第２言語）を対応させた対応テーブルである。
【００５７】
情報表示部１４は、各種情報を閲覧可能に構成された情報端末（管理端末２や利用者が利用するコンピュータを含む）から各種情報の表示要求を受け付けた場合、その観光地、商業施設、又は商品の表示情報を表示情報記憶部１２から抽出し、情報端末に表示させる。ここで、表示情報とは、観光地、商業施設、又は商品の入力情報に基づいて後述する情報多言語変換システム１の処理プロセスが実行された後の各情報をいう。具体的には、表示情報とは、識別名称処理部１１０が受け付けた観光地名、商業施設名、及び商品名の日本語表記とローマ字表記との情報と、自動翻訳処理部１１５によりその観光地、商業施設、及び商品の紹介文が当該言語で自動翻訳された紹介文の情報や、外国語変換処理部１１６により施設内情報（使用可能言語等、カード可否、免税の可否）が当該言語で自動変換された属性情報等をいう。
【００５８】
また、情報表示部１４は、表示情報記憶部１２に記憶された表示情報の情報毎に、表示／非表示の選択の入力を受け付けることができるとよい。例えば、情報表示部１４は、表示情報記憶部１２に記憶された第１言語による正式名称、又は第１言語による簡易化した名称と、外国人が第１言語による発音が可能な表記へ自動変換された正式名称、又は外国人が前記第１言語による発音が可能な表記へ自動変換された簡易化した名称の少なくとも一方とを抽出し、情報端末に表示させる。具体的には、観光地名、商業施設名、及び商品名の日本語表記とローマ字表記との情報として、それぞれ正式名称の日本語表記とローマ字表記だけでなく、正式名称を簡易化した名称の日本語表記とローマ字表記とがある場合、情報表示部１４は、正式名称の日本語表記と、それを簡易化した名称のローマ字表記とを表示させてもよい。即ち、日本人であれば正式名称の日本語表記を見ることによって、観光地名、商業施設名、及び商品名を正確に理解することができ、他方外国人は簡易化した名称のローマ字表記であれば発音しやすいため、観光地や商業施設のガイドや、店舗の従業員に対し、観光地名、商業施設名、又は商品名を簡単に伝えることができる。尚、情報表示部１４は、簡易化した名称の日本語表記と、それの正式名称のローマ字表記とを表示させてもよく、適宜変更可能である。
【００５９】
上述したように、本実施形態の情報多言語変換システム１は、各種情報の識別名称、紹介文、属性情報について、それぞれが持つ特性を勘案した上で、それぞれに適した処理を行わせることにより、最適な方法で各種情報を多言語化することが可能となる。
【００６０】
次に、情報多言語変換システム１の処理プロセスの一例を図５のフローチャートを用いて、以下、説明する。
【００６１】
観光地や商業施設を管理する施設は、所定の操作を行うことで、観光地の情報提供サービスを運営する企業の情報多言語変換システム１にアクセスし、外国語による各種情報の生成を行うことの操作入力を行う。
【００６２】
この操作入力を管理サーバ１０で受け付けると、情報処理部１１は、管理端末２に図６に示す管理画面を表示させ、管理端末２において、観光地に関する情報の入力を行わせる。先ず、情報処理部１１の識別名称処理部１１０は、管理画面において観光地名の入力を受け付ける（Ｓ１００）。具体的には、識別名称処理部１１０は、観光地名として、漢字等からなる実際の表記とその片仮名表記したものにより入力を受け付ける。ここで、観光地名の実際の表記としては、例えば正式名称として「東京国際空港」を入力しても、簡易化した名称である「羽田空港」を入力しても良い。
【００６３】
また、識別名称処理部１１０は、受け付けた片仮名表記に基づいて、ローマ字表記への自動変換を実行する。尚、片仮名表記の代わりにローマ字表記の入力を受け付けても良い。この場合、片仮名表記からローマ字表記への変換処理は不要である。さらに、識別名称処理部１１０は、入力を受け付けた観光地名に特有の識別記号を付与する。
【００６４】
例えば観光地名が「○×寺」であった場合、識別名称処理部１１０は、観光地名として「○×寺」と「マルバツデラ」の入力を受け付ける。そして、識別名称処理部１１０は、「マルバツデラ」に基づいて、これを「ＭＡＲＵＢＡＴＳＵＤＥＲＡ」に変換する。図７に、観光地名の入力が行われた場合の管理画面の一例を示す。
【００６５】
次に、管理画面において画像の「アップロード」ボタンが選択されると、当該観光地の画像情報をアップロードする画面が表示され、そこで、アップロードする画像情報が選択されることにより、管理端末２から管理サーバ１０に観光地の画像情報が送信される。観光地の画像情報は、情報処理部１１の画像情報処理部１１１で入力を受け付ける（Ｓ１１０）。図８に、観光地の画像の入力が行われた場合の管理画面の一例を示す。
【００６６】
そして管理端末２で、管理画面において「ジャンルを選択」のボタンが選択されることにより、その選択がされたことを情報処理部１１のジャンル処理部１１２が受け付ける。そして、ジャンル処理部１１２は、マスター記憶部１３におけるジャンル記憶部１３１を参照し、観光地のジャンルの選択肢を管理画面に表示させる。選択肢の表示方法はプルダウンメニューによる方法や、チェックボックスによる方法、ポップアップ画面による方法等さまざまな方法があり、いかなる方法でも良い。
【００６７】
例えば「施設」（大分類）のうち「寺院」が選択されたとすると、ジャンル処理部１１２は、その選択入力を受け付ける（Ｓ１２０）。図９に、ジャンルの入力が行われた場合の管理画面の一例を示す。
【００６８】
紹介文処理部１１３、属性情報処理部１１４は、ジャンル処理部１１２において、ジャンルの選択を受け付けると、マスター記憶部１３における紹介文記憶部１３２、属性情報記憶部１３３を参照することにより、選択されたジャンルに対応する紹介文、属性情報等のそれぞれに対応するテンプレート情報を取得する（Ｓ１３０）。そして、紹介文処理部１１３、属性情報処理部１１４は、それらのテンプレート情報を管理画面に表示させる。図１０に、紹介文、属性情報のテンプレート情報が表示された場合の管理画面の一例を示す。
【００６９】
ここで、紹介文、属性情報について、テンプレート情報に修正を行う場合（Ｓ１４０）、それぞれに割り当てられた「編集」ボタンを選択することにより、編集が可能となり、その入力を受け付ける（Ｓ１５０）。その際、紹介文の入力は、紹介文処理部１１３で日本語による入力を受け付ける。また、属性情報、即ち施設内情報、位置情報については、それぞれに割り当てられた「編集」の選択を受け付けることにより、属性情報処理部１１４がマスター記憶部１３における属性情報記憶部１３３を参照し、選択肢の表示を管理画面で行わせることによって、その選択入力を受け付ける。
【００７０】
上述したように、識別名称、紹介文、属性情報等を入力情報として入力を受け付け、紹介文処理部１１３で紹介文の内容が修正されている場合には、自動翻訳処理部１１５が紹介処理部１１３で入力を受け付けた日本語による紹介文を、予め定められた外国語、例えば英語、フランス語、ドイツ語、スペイン語、中国語、アラビア語等に自動翻訳する処理を実行する（Ｓ１７０）。一方、紹介文の内容に修正がない場合には外国語変換処理部１１６が、紹介文に対応する外国語を外国語対応用語記憶部１３４から参照し、選択された紹介文の外国語を特定することで、自動変換処理を実行する（Ｓ１６０）。
【００７１】
さらに、外国語変換処理部１１６は、属性情報処理部１１４で入力を受け付けた属性情報の選択に基づいて、外国語対応用語記憶部１３４を参照し、選択された属性情報の外国語を特定することで自動変換処理を実行する（Ｓ１７０）。尚、自動翻訳処理部１１５による自動翻訳処理、外国語変換処理部１１６による自動変換処理は、事前に行うほか、いかなるタイミングで行われても良い。
【００７２】
上述した処理を実行することにより、情報処理部１１は、表示情報記憶部１２に表示情報として記憶させる（Ｓ１８０）。例えば、表示情報記憶部１２は、表示情報として、識別名称処理部１１０が入力を受け付けた観光地名の日本語表記、及び識別名称処理部１１０が自動変換を実行した観光地名のローマ字表記と、自動翻訳処理部１１５が自動翻訳処理を実行した外国語による紹介文、外国語変換処理部１１６が外国語に変換されたジャンル及び属性情報等を記憶する。尚、商業施設については、上述した処理と同様な処理を実行することが可能である。また、商品については、情報処理部１１は管理端末２に図１１に示す管理画面を表示させ、管理端末２において、商品に関する情報の入力を行わせる。その後の処理は上述した処理と同様な処理を実行する。
【００７３】
本実施形態の情報多言語変換システム１の実施例１としては、ショッピングモールに外国人が訪れた場合、ショッピングモールの案内ガイドは、可搬型通信端末等により、所定の操作をすることで管理サーバ１０にアクセスし、その外国人に対して、可搬型端末を渡す。そして外国人が可搬型通信端末で自らが理解可能な言語等を選択することにより、図１２に示すように情報表示処理部１４が理解可能な言語で翻訳されたガイドページを表示させる。例えば、店舗名の日本語表記とローマ字表記表示の情報と、その店舗の紹介文とがリスト形式で表示されているとよい。
【００７４】
そして、上記リストから、店舗名等を選択すると、当該可搬型通信端末から管理サーバ１０に対して当該表示情報の取得要求が行われる。そして、情報表示処理部１４は、表示情報記憶部１２から、選択された店舗のうち、外国人が選択した言語に対する表示情報、例えば、店舗名の日本語表記とローマ字表記表示の情報と、その店舗の紹介文が当該言語で自動翻訳された紹介文の情報や、施設内情報（使用可能言語等、カード可否、免税の可否）が当該言語で自動変換された属性情報を表示させる。上記店舗名のローマ字表記表示は、上述した通り店舗名の片仮名表記に基づいて外国人でも日本語による発音が可能なローマ字表記に変換処理された表記でもよい。さらに、店舗名の日本語表記とローマ字表記表示の情報とはいずれか一方だけでもよい。尚、情報表示処理部１４は、店舗の外観が写った写真、店舗の位置に目印が付けられたフロアマップ等を表示させてもよい。
【００７５】
さらに、翻訳されたガイドページには、トイレ、喫煙所、授乳室の有無等と言った施設内情報、営業時間情報等も表示させることができ、そのショッピングモールに始めて訪れたとしても、迷うことなく、目的の店舗を訪れることができ、ショッピングを楽しむことができる。
【００７６】
また、本実施形態の情報多言語変換システム１の実施例２としては、家電量販店に外国人が訪れた場合、家電量販店の従業員は、可搬型通信端末等により、所定の操作をすることで管理サーバ１０にアクセスし、その外国人に対して、可搬型端末を渡す。そして外国人が可搬型通信端末で自らが理解可能な言語等を選択することにより、情報表示処理部１４が、商品のリストを図１３のように表示させる。この場合、商品名の日本語表記及びローマ字表記の情報と、商品の写真の情報と、販売価格の情報等がリスト形式で表示されているとよい。
【００７７】
そして、このリストから商品名等を選択することにより、当該可搬型通信端末から管理サーバ１０に対して当該表示情報の取得要求が行われる。そして情報表示処理部１４は、表示情報記憶部１２から、選択された商品のうち、外国人が選択した言語に対応する表示情報、例えば商品のアピールポイントが当該言語で自動翻訳された商品のアピールポイントを表示させる。尚、情報表示処理部１４は、当該商品の陳列場所を示すフロアマップを表示させてもよい。
【００７８】
上述したように商品情報を表示させることで、外国語による商品情報を提供することができる。そして、外国人は所望の商品を従業員に伝えることができ、スムーズに所望の表品を購入することができる。
【００７９】
〔実施形態の変形例等〕
また、本実施形態の別の実施形態として、観光地、商業施設、又は商品情報を提供する情報提供サイトの利用するウェブサーバと表示情報記憶部１２とを連動させ、当該情報提供サイトで、観光地、商業施設、又は商品を探すための検索条件として、識別名称、ジャンル、紹介文、属性情報のいずれか一以上を受け付けても良い。この場合、図１４に模式的に示すように、管理サーバ１０には検索処理部１５を有する。尚、当該情報提供サイトの利用するウェブサーバに対する検索条件の入力は、各種情報の閲覧可能に構成された情報端末（管理端末２又は利用者が利用するコンピュータを含む）から行われればよい。
【００８０】
検索処理部１５は、当該情報提供サイトへの検索条件における識別名称、ジャンル、紹介文、属性情報のいずれか一以上に基づいて、第２言語による検索条件（第１検索条件）に対応する第１言語による単語を外国語対応用語記憶部１３４から特定する。その用語をさらに検索条件に追加して（第２検索条件）、それらの用語を含む観光地、商業施設、又は商品を表示情報記憶部１２から検索し、当該情報提供サイトに結果として返す。
【００８１】
例えば、識別名称に対する第１検索条件として「ｓｈｒｉｎｅ」（英語）の入力を観光地情報提供サイトで受け付けると、検索処理部１５は、観光地情報提供サイトから第１検索条件「ｓｈｒｉｎｅ」に対応する単語、「神社」（日本語）を外国語対応用語記憶部１３４から特定し、第２検索条件「神社」に追加するする。そして、検索処理部は、第１，２検索条件として、「ｓｈｒｉｎｅ」、「神社」を表示情報に含む観光地を表示情報記憶部１２から検索し、該当する神社を観光地情報提供サイトに結果として返す。
【００８２】
この場合、検索結果として表示させる観光地の表示情報は、観光地情報提供サイトに入力された検索条件の言語（第１検索条件）と同一の言語に対応する情報として表示させると良い。即ち、「ｓｈｒｉｎｅ」ではなく、「神社」の検索条件（第２検索条件）を表示情報に含むとして該当した観光地の表示情報であっても、日本語の表示情報を表示させるのではなく、英語の表示情報を表示情報記憶部１２から抽出して表示させることが好ましい。
【００８３】
尚、検索処理部１５による識別名称の検索処理について説明したが、ジャンルや、属性情報の検索処理についても同様に検索処理される。
【００８４】
検索処理部１５を設けることにより、該当する観光地や、商業施設や、商品を、各種情報提供サイトを介して、外国人に情報提供できる。日本語の表記を知らなくても、希望する観光地、商業施設、商品の情報を入手することが可能となる。
【００８５】
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含む。
【産業上の利用可能性】
【００８６】
本発明の情報多言語変換システム１を用いることによって、外国語に精通した人材がいない場合であっても、簡便な方法により、始めて観光地や商業施設を訪れた外国人が迷うことなく観光を楽しむことが出来る。また、商品の詳細な情報を表示することができるので、目的の商品を間違えずに購入することが出来る。
【符号の説明】
【００８７】
１…情報多言語変換システム
２…管理端末
１０…管理サーバ
１１…情報処理部
１２…表示情報記憶部
１３…マスター記憶部
１４…情報表示処理部
１５…検索処理部
１１０…識別名称処理部
１１１…画像情報処理部
１１２…ジャンル処理部
１１３…紹介処理部
１１４…属性情報処理部
１１５…自動翻訳処理部
１１６…外国語変換処理部
１３１…ジャンル記憶部
１３２…紹介文記憶部
１３３…属性情報記憶部
１３４…外国語対応用語記憶部
７０…演算装置
７１…記憶装置
７２…表示装置
７３…入力装置
７４…通信装置
【図１】
2018133102.tif 000003
【図２】
2018133102.tif 000004
【図３】
2018133102.tif 000005
【図４】
2018133102.tif 000006
【図５】
2018133102.tif 000007
【図６】
2018133102.tif 000008
【図７】
2018133102.tif 000009
【図８】
2018133102.tif 000010
【図９】
2018133102.tif 000011
【図１０】
2018133102.tif 000012
【図１１】
2018133102.tif 000013
【図１２】
2018133102.tif 000014
【図１３】
2018133102.tif 000015
【図１４】
2018133102.tif 000016